(57)【要約】例えば、ビーコンレポートの測定および生成で使用するための、無線ネットワークにおける無線測定のための測定パイロットの使用に関して、さまざまな実施形態が開示される。例示的実施形態において、無線測定要求（300）は、要求する側の無線ノード（104、114）から受信されてもよく、測定パイロットフレーム（200）は、一つ以上の無線ノード（104、106、108、114、118、116）から受信されることができる。無線測定レポート（500）は、一つ以上の無線ノードからの測定パイロットフレーム（200）に少なくとも部分的に基づいて生成されることができる。無線測定レポート（500）は、要求する側の無線ノード（104、114）に送信されることができる。【選択図】図６
2009506698.tif 000002
【特許請求の範囲】
【請求項１】
要求する側の無線ノードから無線測定要求を受信すること（610）と、
一つ以上の無線ノードから測定パイロットフレームを受信すること（620）と、
一つ以上の無線ノードからの前記測定パイロットフレームに少なくとも部分的に基づいて無線測定レポートを生成すること（630）と、
前記要求する側の無線ノードに前記無線測定レポートを送信すること（640）と、
を含む方法。
【請求項２】
前記無線測定要求を受信することは、ビーコン要求を受信すること（612）を含む、請求項1に記載の方法。
【請求項３】
前記生成することは、一つ以上の無線ノードからの前記測定パイロットフレームに少なくとも部分的に基づいて、ビーコンレポートを生成することを含む、請求項2に記載の方法。
【請求項４】
前記要求する側の無線ノードが、前記無線測定レポートに少なくとも部分的に基づいて隣接レポートを生成すること（650）をさらに含む、請求項1に記載の方法。
【請求項５】
前記無線測定要求は、無線測定に関する測定モードを特定するフィールドを含み、前記測定モードは、
・  ビーコンまたはプローブ応答の使用を含むパッシブモード（402）、
・  プローブ要求およびプローブ応答、ビーコン、または測定パイロットフレームの使用を含むアクティブモード（430）、
・  ビーコンテーブル（432）、
・  測定パイロットフレームのみの使用を含む測定パイロットモード（408）、
・  測定パイロットフレームまたはビーコンまたはプローブ応答の使用を含むパッシブモード（410）、あるいは、
・  アクティブまたはパッシブ測定技術（614）の種類、
のうちの少なくとも一つを特定する、請求項1に記載の方法。
【請求項６】
要求する側の無線ノードからビーコン要求を受信することであって、前記ビーコン要求は、無線測定に関する複数の測定モードのうちの少なくとも一つを特定するフィールドを含み、前記複数の測定モードは、測定パイロットフレームの使用を可能にする一つ以上のモードを含むこと（710）と、
一つ以上の無線ノードから一つ以上の測定パイロットフレームを受信すること（720）と、
前記ビーコン要求で特定された前記測定モードに準じてビーコンレポートを生成すること（730）と、
前記ビーコン要求を前記受信することに応じて、前記ビーコンレポートを前記要求する側のノードに送信すること（740）と、
を含む方法。
【請求項７】
要求する側の無線ノードからビーコン要求を受信すること（810）と、
一つ以上の無線ノードから一つ以上の測定パイロットフレームを受信すること（820）と、
一つ以上の無線ノードからの前記測定パイロットフレームに少なくとも部分的に基づいて、ビーコンレポートを生成すること（830）と、
前記要求する側の無線ノードに前記ビーコンレポートを送信すること（840）と、
を含む方法。
【請求項８】
無線ネットワークにおいて無線測定レポートを入手する方法であって、
無線ノードに無線測定要求を送信すること（910）と、
前記無線ノードから無線測定レポートを受信することであって、前記無線測定レポートは、一つ以上の無線ノードからの測定パイロットフレームに少なくとも部分的に基づいて生成されること（920）と、
を含む方法。
【請求項９】
前記無線測定要求を送信することは、無線ノードにビーコン測定要求を送信すること（912）を含む、請求項8に記載の方法。
【請求項１０】
前記無線測定レポートを受信することは、前記無線ノードからビーコンレポートを受信することを含み、前記ビーコンレポートは、一つ以上の無線ノードからの一つ以上の測定パイロットフレームに少なくとも部分的に基づいて生成される（922）、請求項8に記載の方法。
【請求項１１】
前記無線測定レポートに少なくとも部分的に基づいて、隣接レポートを生成すること（930）をさらに含む、
請求項8に記載の方法。
【請求項１２】
制御装置（1004）と、前記制御装置に接続されるメモリ（1006）と、前記制御装置に接続される無線送受信機（1002）と、を含む装置であって、
・  要求する側の無線ノードから無線測定要求を受信し（610）、
・  一つ以上の無線ノードから測定パイロットフレームを受信し（620）、
・  一つ以上の無線ノードからの前記測定パイロットフレームに少なくとも部分的に基づいて無線測定レポートを生成し（630）、ならびに
・  前記要求する側の無線ノードに前記無線測定レポートを送信する（640）、
ように構成される装置。
【請求項１３】
・  要求する側の無線ノードからビーコン測定要求を受信し（612）、
・  一つ以上の無線ノードからの前記測定パイロットフレームに少なくとも部分的に基づいてビーコンレポートを生成し（632）、ならびに
・  前記要求する側の無線ノードに前記ビーコンレポートを送信する、
ように構成される、請求項12に記載の装置。
【請求項１４】
前記装置は、無線ローカルエリアネットワーク（Wireless Local Area Network; WLAN）において移動局（106、108、118、116）を備える、請求項12に記載の装置。 
【請求項１５】
前記装置は、無線メッシュネットワークにおいてメッシュポイントまたは無線ノードを備える、請求項14に記載の装置。
【請求項１６】
制御装置（1004）と、前記制御装置に接続されるメモリ（1006）と、前記制御装置に接続される無線送受信機（1002）とを備える装置であって、
・  無線ノードに無線測定要求を送信し（910）、
・  前記無線ノードから無線測定レポートを受信し、前記無線測定レポートは、一つ以上の無線ノードからの測定パイロットフレームに少なくとも部分的に基づいて生成される（920）、
ように構成される装置。
【請求項１７】
・  無線ノードにビーコン測定要求を送信し（912）、
・  前記無線ノードからビーコンレポートを受信し、前記ビーコンレポートは、一つ以上の無線ノードからの前記測定パイロットフレームに少なくとも部分的に基づいて生成される（922）、
ように構成される、請求項16に記載の装置。
【請求項１８】
無線ローカルエリアネットワーク（Wireless Local Area Network; WLAN）において、アクセスポイント（Access Point; AP）（104、114）または基地局を備える、請求項16に記載の装置。
【請求項１９】
前記無線ノードが、無線メッシュネットワークにおいて、メッシュポイントまたは無線ノード（106、108、118、116））を備える、請求項16に記載の装置。
【請求項２０】
無線通信のためのコンピュータプログラムであって、前記コンピュータプログラムは、コンピュータ可読媒体に有形に具現化され、実行時に、一つ以上のプロセッサが、
・  要求する側の無線ノードから無線測定要求を受信し（610）、
・  一つ以上の無線ノードから測定パイロットフレームを受信し（620）、
・  一つ以上の無線ノードからの前記測定パイロットフレームに少なくとも部分的に基づいて、無線測定レポートを生成し（630）
・  前記要求する側の無線ノードに前記無線測定レポートを送信する（640）、
ように構成される実行可能コードを含む、コンピュータプログラム。
【請求項２１】
無線通信のためのコンピュータプログラムであって、前記コンピュータプログラムは、コンピュータ可読媒体に有形に具現化され、実行時に、一つ以上のプロセッサが、
・  無線ノードから無線測定要求を送信し（910）、
・  前記無線ノードから無線測定レポートを受信し、前記無線測定レポートは、一つ以上の無線ノードからの測定パイロットフレームに少なくとも部分的に基づいて生成される（920）、
ように構成される実行可能コードを含む、コンピュータプログラム。
【発明の詳細な説明】
【関連出願の相互参照】
【０００１】
本出願は、2005年9月9日に出願された発明の名称が「無線ネットワークにおける無線測定のための測定パイロットの使用」である米国仮出願第60/715,836号に対して優先権を主張し、その出願は、参照することによって本明細書に組み込まれる。
【背景】
【０００２】
無線ローカルエリアネットワーク（Wireless Local Area Network; WLAN）などの無線ネットワークは、一般的に、無線またはその他の周波数を介して通信する。WLANにおいて、例えば、移動局は、一般的に移動しており、アクセスポイント（Access Point; AP）または基地局と通信することができる。APは、一般的に、インフラストラクチャネットワークまたは有線ネットワークに接続（または非接続）されることができる固定装置である。
【０００３】
最も一般的なWLAN技術は、IEEE 802.11b、IEEE 802.11g、およびIEEE 802.11aの仕様書などの、電気電子技術者協会（Institute of Electrical and Electronics Engineers; IEEE)の802.11系の産業仕様書に記載されている。802.11移動局群は、基本サービスセット識別子（Basic Service Set Identifier; BSSID）に識別されうる基本サービスセット（Basic Service Set; BSS）として知られるネットワークにおいて、直接または一つのAPを介して相互に通信することができる。BSS群（例えば、BSS毎に一つのAPを備える）は、サービスセットID（Service Set ID; SSID）に識別されうる拡張サービスセット（Extended Service Set; ESS）として知られる、より大きいWLANネットワーク（例えば、多数のAPを備える）において接続されることができる。
【０００４】
移動局が無線ネットワーク（例えば、WLAN）を移動する際、その時点で関係接続（作用）しているAPの信号受信レベルが低過ぎるおよび／または別のAPの方が良好な信号レベルまたは能力を提供する場合に、その時点の関係接続を、APから別のAPへ変更する必要がある。本手順は、ローミングとして知られており、移動局がAP間の関係接続を切り替え可能にする。
【０００５】
新しいAPにローミングまたは関係接続するにあたって、移動局は、まず、一つ以上のAPを検索することができる。AP間のローミングを可能にするために無線信号を測定または監視する数多くの既知の技術が存在する。APによって送信される信号は、通常は監視可能で、その受信信号強度（Received Signal Strength; RSS）は、例えばAP毎に測定されることができる。具体的に、APは、例えば、パッシブスキャンを介して、およびアクティブスキャンによって検索されることができる。
【０００６】
パッシブスキャンにおいて、無線局は、一つ以上のチャネルを監視して、APによって送信されるビーコンまたはプローブ応答が存在するか否かを決定する。ビーコンは、例えば100msなどの一定の間隔（ビーコン間隔として知られる）で各APによって送信されることができる。ビーコン（またはビーコン信号）は、例えば、関係接続される局が継続的にAPと同期するようにするタイミング同期機能（Timing Synchronization Function; TSF）のタイマーの値を表すAPタイムスタンプ、特定のWLANネットワークを識別するBSSID、トラフィック指標マップ（Traffic Indication Map; TIM）、ビーコン間隔（またはビーコン送信間の時間）、サポートデータ速度の指標、パラメータ設定またはサポートされる特定の信号伝達方法に関する情報、能力情報（有線等価プライバシー（Wired Equivalency Privacy; WEP）つまりWEPプロトコルがサポートされているかなど）、およびその他の情報を含むことができる。パッシブスキャンにおいて、ノードは、複数のチャネルの各々のビーコンまたはプローブ応答を聴取し、APの受信信号強度、能力、およびデータ速度などの各APに関する情報を収集する。場合によって、パッシブスキャンは、発生しない可能性のあるまたはアイドルチャネルでありうるビーコンまたはプローブ応答を聴取し、時間および電力を消費する。
【０００７】
アクティブスキャンは、プローブ要求を一つ以上の特定のAPに送信し、かつプローブ応答をAPから受信する移動局を伴うことができる。アクティブスキャンにより、移動局は、APまたはその他の局と交信可能になり、情報が入手できるようになる。移動局は、例えば、サービスセット識別子（Service Set Identity; SSID）を特定するプローブ要求をプローブ要求フレームで送信することができる。SSIDに一致するチャネル上のいかなるAPまたは局も、例えば、プローブ応答で応答することができる。ビーコンと類似するプローブ応答は、局がネットワークにアクセス可能またはAPに関係接続可能にするのに有用でありうる情報を提供することができる。ビーコン（パッシブスキャン）の監視と比較すると、アクティブスキャンは、電池寿命が長い（例えば、電池をあまり消費しない）が、プローブ要求／プローブ応答トラフィックにより、ネットワーク容量が減少する場合がある。
【０００８】
APが測定パイロット（場合により余計な（gratuitous）プローブ応答と呼ばれる）を送信することも近年提案されている。APは、一般的に、ビーコン（例えば、100ms毎）よりもはるかに多い頻度で（例えば、10ms毎）測定パイロットフレームを送信し、より頻繁に情報を局に提供する。したがって、測定パイロットフレーム間隔が、一般的にビーコン間隔よりもはるかに短いため、局は、測定パイロットフレームを使用することによって、チャネル上で送信するAPが存在するか否かを検出し、チャネル品質を測定し（例えば、受信信号強度の測定）、例えばチャネル上の次のビーコンを待機するよりも短時間でAPに関するその他の情報を受信することができる。したがって、場合によっては少なくとも、測定パイロットフレームによって、新しいAPへのローミング決定および関係接続が速くなる。測定パイロットフレームが含む情報は、ビーコンまたはプローブ応答で提供される情報とほとんど同一であるが、ビーコンで提供される全てのTIMおよびDTIMフィールドのような長めのフィールドのいくつかを含まないため、測定パイロットは短くなる。測定パイロットフレームは、例えばアクティブまたはパッシブスキャン中に移動局によって受信されることができる。
【摘要】
【０００９】
無線ネットワークにおける無線測定のための測定パイロットフレームの使用に関連するさまざまな実施形態が開示される。
【００１０】
例示的実施形態によると、無線測定要求（例えば、ビーコン要求またはビーコン測定要求）は、要求する側の無線ノード（例えば、アクセスポイント）から受信されることができる。測定パイロットフレームは、一つ以上の無線ノード（例えば、AP）から受信されてもよい。無線測定レポート（例えば、ビーコンレポート）は、一つ以上の無線ノードからの測定パイロットフレームに少なくとも部分的に基づいて生成されてもよい。前記無線測定レポート（例えば、ビーコンレポート）は、前記要求する側の無線ノードに送信されてもよい。例示的実施形態によると、前記無線測定要求は、無線測定に関する測定モードを特定するフィールドを含むことができる。前記測定モードは、測定のモードを特定してもよく、その測定のモードには、例えば、パッシブモード（例えば、受信されたビーコン、プローブ応答、または測定パイロットフレームをパッシブ使用して測定を実行する）、アクティブモード（例えば、プローブ要求／プローブ応答、ビーコン、または測定パイロットを使用する）、ビーコンテーブルモード、パッシブ測定パイロットモード（例えば、受信された測定パイロットフレームのみを使用してパッシブ的に測定が実行されうる）、およびパッシブモード（いかなるパッシブ技術も選択されうる）、ならびに何らかのモード（前記要求されたビーコンレポートを提供するために、いかなるアクティブまたはパッシブ測定技術も選択可能）が挙げられる。
【００１１】
別の例示的実施形態によると、ビーコン要求は、要求する側の無線ノードから受信されてもよく、前記ビーコン要求には、無線測定に関する複数の測定モードのうちの少なくとも一つを特定するフィールドが含まれる。前記複数の測定モードは、測定パイロットフレームの使用を可能にする一つ以上のモードを含むことができる。一つ以上の測定パイロットフレームは、一つ以上の無線ノードから受信されてもよい。ビーコンレポートは、前記ビーコン要求で特定された前記測定モードに準じて生成されてもよい。前記ビーコン要求の受信応じて、前記ビーコンレポートは、前記要求する側のノードに送信されてもよい。
【００１２】
さらに別の例示的実施形態によると、ビーコン要求は、要求する側の無線ノードから受信されることができる。一つ以上の測定パイロットフレームは、一つ以上の無線ノードから受信されてもよい。ビーコンレポートは、一つ以上の無線ノードからの前記測定パイロットフレームに少なくとも部分的に基づいて生成されてもよい。前記ビーコンレポートは、前記要求する側の無線ノードに送信されてもよい。
【００１３】
さらに別の例示的実施形態によると、無線測定要求は、無線ノードに送信されることができる。無線測定レポートは、前記無線ノードから受信されてもよく、前記無線測定レポートは、一つ以上の無線ノードからの測定パイロットフレームに少なくとも部分的に基づいて生成される。
【００１４】
別の例示的実施形態において、制御装置と、前記制御装置に接続されるメモリと、前記制御装置に接続される無線送受信機とを備える装置が提供される。前記装置は、要求する側の無線ノードから無線測定要求を受信し、一つ以上の無線ノードから測定パイロットフレームを受信し、一つ以上の無線ノードからの前記測定パイロットフレームに少なくとも部分的に基づいて無線測定レポートを生成し、ならびに前記要求する側の無線ノードに前記無線測定レポートを送信するように構成されることができる。例示的実施形態において、前記装置は、無線メッシュネットワークにおいて、メッシュポイントまたは無線ノードを備えてもよい。
【００１５】
別の例示的実施形態において、制御装置と、前記制御装置に接続されるメモリと、前記制御装置に接続される無線送受信機とを備える装置が提供される。前記装置は、無線ノードに無線測定要求を送信し、ならびに前記無線ノードから無線測定レポートを受信するように構成されてもよく、前記無線測定レポートは、一つ以上の無線ノードからの測定パイロットフレームに少なくとも部分的に基づいて生成される。
【００１６】
別の例示的実施形態において、無線通信のためのコンピュータプログラムが提供され、前記コンピュータプログラムは、コンピュータ可読媒体に有形に具現化される。前記コンピュータプログラムは、実行時に、一つ以上のプロセッサが、要求する側の無線ノードから無線測定要求を受信し、一つ以上の無線ノードから測定パイロットフレームを受信し、一つ以上の無線ノードからの測定パイロットフレームに少なくとも部分的に基づいて無線測定レポートを生成し、ならびに前記要求する側の無線ノードに前記無線測定レポートを送信する、ように構成される実行可能コードを含むことができる。
【００１７】
別の例示的実施形態において、無線通信のためのコンピュータプログラムが提供され、前記そのコンピュータプログラムは、コンピュータ可読媒体に有形に具現化される。前記コンピュータプログラムは、実行時に、一つ以上のプロセッサが、無線ノードに無線測定要求を送信し、ならびに無線ノードから無線測定レポートを受信するように構成される実行可能コードを含んでもよく、その無線測定レポートは、一つ以上の無線ノードからの測定パイロットフレームに少なくとも部分的に基づいて生成される。
【００１８】
例示的実施形態によると、前記測定パイロットに基づいてビーコンレポートを生成可能にすることによって、前記ビーコンレポートは、場合により、ビーコンおよびプローブ要求／応答に基づいて本レポートを生成するよりもより速くかつより効果的に生成されることができる。
【図面の簡単な説明】
【００１９】
【図１】例示的実施形態に係る無線ネットワークを示す図である。
【００２０】
【図２】例示的実施形態に係る測定パイロットフレームのフレーム本体を示す図である。
【００２１】
【図３】例示的実施形態に係るビーコン測定要求（例えば、ビーコン要求）のための測定要求フィールド形式の図である。
【００２２】
【図４ａ】例示的実施形態に係るビーコン要求で特定されうる異なる測定モードを示す図である。
【図４ｂ】例示的実施形態に係るビーコン要求で特定されうる異なる測定モードを示す図である。
【００２３】
【図５】例示的実施形態に係るビーコンレポートのための測定レポートフィールド形式を示す図である。
【００２４】
【図６】例示的実施形態に係る無線ノードの動作を示すフローチャートである。
【００２５】
【図７】別の例示的実施形態に係る無線ノードの動作を示すフローチャートである。
【００２６】
【図８】別の例示的実施形態に係る無線ノードの動作を示すフローチャートである。
【００２７】
【図９】別の例示的実施形態に係る無線ノードの動作を示すフローチャートである。
【００２８】
【図１０】例示的実施形態に係る無線ノードで提供されうる装置を示すブロック図である。
【詳細な説明】
【００２９】
図面を参照するにあたって、図面における同一符号は同一要素を示す。図1は、例示的実施形態に係る無線ネットワーク102および112を示す図である。例示的実施形態によると、無線ネットワーク102および無線ネットワーク112などの無線ネットワークの各々は、移動局、アクセスポイント（AP）、基地局などの無線ノードを多数含むことができる。
【００３０】
例示的実施形態によると、各無線ネットワークは、アクセスポイント（AP）と、APと通信しうる一つ以上の移動局とを含むことができる。例えば、図1に示されるように、無線ネットワーク102は、AP104と、移動局106および移動局108などのAP104と通信しうるいくつかの移動局とを含むことができる。同様に、無線ネットワーク112は、AP114と、移動局116および移動局118などのAP114と通信しうるいくつかの移動局とを含むことができる。図示されないが、AP102およびAP112は、固定ネットワークに接続されることができる。
【００３１】
本明細書に記載されるさまざまな実施形態は、WLANネットワーク（例えば、IEEE 802.11型ネットワーク）、セルラーネットワーク、無線（radio）ネットワーク、またはその他の無線（wireless）または有線ネットワークなどの多種多様のネットワークおよび技術に適用可能であってもよい。別の例示的実施形態において、さまざまな実施例および実施形態は、複数のメッシュポイント（例えば、アクセスポイント）が有線または無線リンクを介して接続されることができるメッシュ無線ネットワークに適用されることができる。用語の「ノード」または「無線ノード」あるいは「ネットワークノード」または「ネットワーク局」は、例えば、加入者基地局または移動局、アクセスポイントまたは基地局、中継局またはその他の中間無線ノードなどの無線局、あるいはノート型パソコン、デスクトップ型パソコン、および周辺機器などのその他の無線コンピュ?ターデバイスを言及しることができる。
【００３２】
図2は、例示的実施形態に係る測定パイロットフレームのフレーム本体を示す図である。例えば、測定パイロットは、タイムスタンプ（パイロットのソースに関するタイミング同期機能（Timing Synchronization Function; TSF）の値を示す）、測定パイロット間隔（測定パイロットの送信間隔）、ビーコン間隔（例えば、APなどの送信する側の無線ノードのビーコン間隔）、能力情報（送信する側のノードの能力のいくつかを記載）、ロバストセキュリティネットワーク（Robust Security Network; RSN）能力（例えば、認証および暗号化に関するセキュリティ関連情報を含む）、国文字列（国情報を提供する）、ならびに最大規制電力、最大送信電力、使用送信電力、送受信機ノイズフロア、および直接シーケンス（Direct Sequence; DS）パラメータ設定（直接シーケンス物理層デバイス（Physical Layer Device; PHY）を使用する場合に、使用されうるフィールド）を含むその他の多くのフィールドを含んでもよい。また、メッシュネットワークにおいて、ビーコンまたは測定パイロットと類似するパケットが、定期的に送信されてもよい。これらのパケットは、送信メッシュポイントまたはメッシュネットワークに関する情報を含む。これらは、含まれる可能性のあるフィールドのうちの単にいくつかの例に過ぎず、その他のフィールドも使用されることができる。例えば、ベンダー特定情報を示すフィールドも含まれることができる。
【００３３】
さまざまな異なる作用または機能が、無線（例えば、WLAN）ネットワークにおいて提供されることができる。これらの作用には、例えば、認証（例えば、移動局がAPにより認証されうる処理）、関係接続（例えば、移動局がAPに登録しうる処理）、およびその他の作用が含まれることができる。
【００３４】
ネットワークが実行できる別の作用として、無線測定（または無線リソース測定）が含まれてもよく、その無線測定には、例えば、無線測定の実行、無線測定の要求およびレポート、隣接APに関する情報提供、および無線測定に関するその他の機能が含まれることができる。例えば、無線測定の一部として、局は、異なる無線測定要求をその他の局に送信して、その他の（隣接）APの無線測定情報などの無線測定情報を求めることができる。これらの無線測定要求には、例えば、ビーコン要求（またはビーコン測定要求）が含まれてもよいが、多くの種類の無線測定要求が存在しることができる。一般的に、例示的実施形態によると、無線測定要求をAPまたはその他の局から受信する局は、適切な無線測定レポートを生成し、かつ要求する側の局にそれを送信して、要求された情報を提供する。以下に詳しく記載するように、例示的実施形態によると、異なる種類の無線測定レポート（ビーコンレポートなど）のうちの一つ以上は、ビーコン、プローブ応答、および測定パイロットなどの異なる情報ソースに基づいて生成されることができる。
【００３５】
例えば、移動局は、その作用する（関係接続される）APからビーコン要求を受信することができ、そのビーコン要求は、その他の（隣接する）APのビーコン情報に関する要求であってもよい。例示的実施形態によると、ビーコン要求を受信する局は、ビーコン測定を実行し、ならびに／もしくはビーコン、ビーコンテーブル、プローブ応答、および／または測定パイロットフレームなどのAPから受信するその他の情報に基づき、ビーコンレポートを生成しることができる。ビーコン測定（およびビーコンレポート生成）が測定パイロットフレームに基づいて実行可能になると、場合により、より効果的で高速なビーコン測定およびビーコンレポート生成が可能になる（例えば、その他のAPのビーコンを測定するのにビーコンを待機する場合、あるいはプローブ要求／応答を使用する場合と比較して）。用語の「ビーコン要求」および「ビーコン測定要求」は、本開示内で同じ意味で使用されうる。
【００３６】
図3は、実施形態に係るビーコン測定要求（ビーコン要求）に関する測定要求フィールド形式の図である。ビーコン要求の測定要求フィールドには、例えば、チャネル番号（測定を適用するチャネルであって、全チャネルに関する反復測定の要求も可能であってもよい）、規定区分（周波数帯を示す）、ランダム化間隔（（ビーコン）測定前に使用されるランダム遅延の上限を特定する）、測定時間（要求された（ビーコン）測定の好適または必須の時間に設定することができる）、測定モード（例えば、要求された測定に使用する測定モードを示す）。（測定モードについては、図4a〜4bを参照して以下により詳しく記載する）、BSSID（ビーコンレポートが要求されるBSSのBSSIDを示す）が含まれることができる。これは、個々のBSSのBSSIDであってもよく、あるいはブロードキャストBSSIDであってもよいが、その場合、例えば、特定のチャネル上の全てのBSSに関するレポートを局は要求される。また、例えば各測定後などの測定結果が要求する側のノードにレポートされる場合、あるいは受信チャネル電力識別子（Received Channel Power Indicator; RCPI）または受信信号強度識別子（Received Signal Strength Indicator; RSSI）の値または平均値が特定の閾値を上回るまたは下回る場合に、レポート状態が規定される。また、閾値／オフセットおよびヒステリシスは、レポート状態を特定するために使用されてもよく、反復測定が存在する場合に使用されることができる。また、サービスセットID（Service Set ID; SSID）は、図3には示されていないが、測定される拡張サービスセット（Extended Service Set; ESS）を識別し、ワイルドカードSSIDは、全てのSSIDにおける測定を要求するように特定されることができる。これらは、含まれる可能性のあるフィールドのうちの単にいくつかの例に過ぎず、その他のフィールドも使用されることができる。
【００３７】
例示的実施形態によると、ビーコン測定要求を受信する局が、要求を受け入れる（要求されたビーコン測定の実行に同意する）場合、測定は、測定モードに準じて実行されてもよく、ビーコンレポートは、レポート状態に準じて提供されてもよい。
【００３８】
図4aは、異なる例示的な測定モード400を示す図であり、例えば、例示的実施形態に係るビーコン要求における測定モードフィールドを介して特定されうる。例えば、モード0（402）はパッシブスキャン（受信されたビーコンおよび受信されたプローブ応答をパッシブ使用して測定を実行）を示してもよい。モード1は、測定に関するアクティブモード（404）を示してもよく、その場合、測定は、アクティブスキャン、つまりプローブ要求／プローブ応答を使用して実行されてもよい。モード2は、ビーコンテーブルモード（406）を示してもよい。ノードは、一般的に、先のスキャン（例えば、ビーコンのパッシブ監視および／またはプローブ応答のパッシブ監視および／またはアクティブスキャン）に基づいて、既に生成および保存されたビーコンテーブルを有してもよい。したがって、ビーコンテーブルモードについて、ノードは、保存しておいたビーコンテーブルを送信してもよく、一般的に、付加的な測定または付加的なレポート生成を実行しない。パッシブスキャン、アクティブスキャン、およびビーコンテーブルを使用して無線測定を行なう上述のモード0〜2は、一般的に既知の技術である。
【００３９】
上述のモード0〜2の他に、例示的実施形態によると、いくつかの付加的な測定モードが提供されることができる。例えば、モード3は、パッシブ測定パイロットモード（408）を示してもよく、その場合、測定は、受信された測定パイロットだけを使用してパッシブ的に実行されることができる。モード4は、何らかのパッシブ測定410も示す（例えば、ビーコン、プローブ応答、および測定パイロットのパッシブ監視を含む）。モード4において、これらのパッシブ技術のいずれもが、ビーコン要求を受信する局によって選択されてもよい。これにより、要求された測定を取得するのに最も便利または容易なモードを局が選択可能になる。モード5（412）は、何らかのパッシブまたはアクティブ測定技術も使用可能であることを示してもよい（例えば、ビーコン、プローブ応答、および測定パイロットのパッシブ監視、ならびにプローブ要求／応答を使用するアクティブスキャン、またはそのいかなる組み合わせ、場合によりビーコンテーブルも）。モード5において、どのような測定技術であっても、ビーコン要求を受信する局によって選択されることができる。一実施形態において、モード5はビーコンテーブルを除外してもよく、一方、別の実施形態において、モード5はビーコンテーブルを含むことができる。
【００４０】
さらに、例示的実施形態によると、ビーコンテーブルは、測定パイロットの監視に基づいて生成されることができる。
【００４１】
図4bは、前述の例示的モードに基づく、使用されうる、異なる例示的な測定モード420を示す図である。例えば、図4bに示されるように、三つの一般化測定モードが提供されてもよく、そのうちのいくつかは、ビーコン、プローブ応答、または測定パイロットの使用を含むパッシブスキャンモード410と、プローブ要求およびプローブ応答、ビーコン、または測定パイロットの使用を含むアクティブスキャンモード430と、保存されたビーコン情報の使用を含む（つまり、上述のような先のスキャン情報に基づく）ビーコンテーブル432とであるスキャンの種類に基づいてもよい。
【００４２】
図4a〜4bに示されるさまざまな測定モードは、単に例示的なものであって、多種多様の異なるモードが使用されることができる。例えば、メッシュネットワークにおいてビーコンまたは測定パイロットフレーム型の送信が存在してもよい。例示的な測定モード（例えば、モード6）は、ビーコンレポートがパケットの受信に基づき作成されうることをビーコン要求において示すように使用されることができる。パッシブ測定（例えば、モード4）または何らかの測定技術（例えば、モード5）で測定が可能になる場合に、これらのパケットがビーコンレポートの生成にも使用されることができる。
【００４３】
図5は、例示的実施形態に係るビーコンレポートの測定レポートフィールド形式500を示す図である。ビーコンレポートの測定レポートフィールドには、例えば、チャネル番号（測定が実行されているチャネル）、規制区分（周波数帯を示す）、実測開始時間（測定が開始した時間を示す）、測定時間（ビーコンレポートが測定された時間を示す、PHY種類（ビーコン、プローブ応答、または測定パイロットがレポートされる局の物理的媒体の種類を示す）、RCPI（ビーコン、プローブ、または測定パイロットの受信チャネル電力を示し、いくつかのビーコン、プローブ、または測定パイロットの平均を示す）、BSSID（レポートされるビーコン、プローブ、または測定パイロットのBSSIDを示す）、親TSFフィールド（ビーコン、プローブ応答、または測定パイロットが受信された時の、測定するノードのTSF（タイミング同期機能）タイマー値の低い方の4オクテットを示す）、対象TSFフィールド（レポートされるビーコン、プローブ応答、または測定パイロットからのTSFタイムスタンプを含む）、ビーコン間隔（レポートされるビーコン、プローブ応答、または測定パイロットからのビーコン間隔を示す）、能力情報（レポートされたビーコン、プローブ応答、または測定ビーコンからの能力情報を示す）、受信要素部分（受信されたビーコン、プローブ応答、または測定パイロットからの多くの情報要素を含み、TIM要素は、例えば、要素の最初の4オクテットのみがレポートされるように欠けていてもよい）が含まれてもよい。これらは、フィールドのうちの単にいくつかの例に過ぎず、その他のフィールドも使用されることができる。
【００４４】
図6は、例示的実施形態に係る無線ノードの動作を示すフローチャート600である。例示的実施形態によると、ステップ610で、無線測定要求が、要求する側の無線ノード（例えば、AP）から受信されることができる。
【００４５】
例示的実施形態によれば、無線測定要求は、無線測定に関する測定モードを特定するフィールドを含んでもよく、その測定モードは、ビーコンまたはプローブ応答の使用を含むパッシブモードと、プローブ要求およびプローブ応答、ビーコン、または測定パイロットフレームの使用を含むアクティブモードと、ビーコンテーブルと、測定パイロットフレームのみの使用を含む測定パイロットモードと、測定パイロットフレーム、ビーコン、またはプローブ応答の使用を含むパッシブモードと、アクティブまたはパッシブ測定技術の種類の中の少なくとも一つを特定する（614）。例えば、図4a〜4bに示されるような、どのような測定モード400、420を含んでもよい測定要求フィールド300を含むビーコン要求は、例えば、AP104から受信されてもよい。
【００４６】
ステップ620において、測定パイロットフレームは、一つ以上の無線ノード（例えば、AP）から受信されることができる。例えば、測定パイロットフレーム200は、AP104または114から受信されることができる。ステップ630において、無線測定レポートは、一つ以上の無線ノードからの測定パイロットフレームに少なくとも部分的に基づいて生成されてもよい。例えば、ビーコンレポートが生成されてもよい（632）。例えば、無線測定レポートは、図5に関して前述した測定レポートのフィールド形式500に準じて生成されてもよい。
【００４７】
ステップ640において、無線測定レポート（例えば、ビーコンレポート）は、要求する側の無線ノードに送信されることができる。例示的実施形態によると、要求する側の無線ノードは、無線測定レポートに少なくとも部分的に基づいて、近隣レポートを生成しることができる（650）。
【００４８】
図7は、別の例示的実施形態に係る無線ノードの動作を示すフローチャート700である。ステップ710において、ビーコン要求は、要求する側の無線ノードから受信されることができる。そのビーコン要求は、無線測定に関する複数の測定モードのうちの少なくとも一つを特定するフィールドを含み、その複数の測定モードには、測定パイロットフレームの使用を可能にする一つ以上のモードが含まれる。例えば、測定モードには、前述した図4bのモード0（410）、モード1（430）、またはモード2（432）が含まれてもよい。ステップ720において、一つ以上の測定パイロットフレームが、一つ以上の無線ノードから受信されてもよい。
【００４９】
ステップ730において、ビーコンレポートは、ビーコン要求で特定された測定モードに準じて生成されることができる。ステップ740において、ビーコン要求の受信に応じて、ビーコンレポートは、要求する側のノードに送信されることができる。
【００５０】
図8は、別の例示的実施形態に係る無線ノードの動作を示すフローチャート800である。ステップ810において、ビーコン要求は、要求する側の無線ノードから受信されることができる。ステップ820において、一つ以上の測定パイロットフレームは、一つ以上の無線ノードから受信されてもよい。
【００５１】
ステップ830において、ビーコンレポートは、一つ以上の無線ノードからの測定パイロットフレームに少なくとも部分的に基づいて生成されることができる。ステップ840において、ビーコンレポートは、要求する側の無線ノードに送信されることができる。
【００５２】
測定パイロットフレームはAPに関連する情報を提供するが、測定パイロットは、例示的実施形態によると、ビーコンまたはプローブ応答に提供される全情報を含まなくてもよい。これにより、測定パイロットの長さは短くなることができる。しかしながら、測定パイロットは、十分な情報（または実質的に十分な情報）を含むため、一つ以上の隣接APに関する情報を提供しうる隣接レポートをノードによって確立または生成することができる。したがって、APは、ビーコン測定要求を送信し、測定モードを特定することができる。要求する側のAPは、ビーコンレポートを受信し、ビーコンレポートに提供される情報に基づいて隣接レポートを生成することができる。APは、例えば、関係接続中または局からの要求に応じて、その他の移動局に近隣レポートを提供することができる。したがって、測定パイロットフレームに基づいてビーコンレポートが測定および生成可能になることによって、ビーコンレポートの生成に必要な効率性および時間が改善されるだけでなく、隣接レポートの生成に必要な効率性および時間も改善されることになる。
【００５３】
図9は、別の例示的実施形態に係る無線ノードの動作を示すフローチャートであり、ここで、無線ネットワークにおける無線測定レポートを入手する方法が提供される。ステップ910において、無線測定要求は、無線ノードに送信されることができる。例えば、ビーコン測定要求は、無線ノードに送信されることができる（912）。ステップ920において、無線測定レポートは、無線ノードから受信されることができる。無線測定レポートは、一つ以上の無線ノードからの測定パイロットフレームに少なくとも部分的に基づいて生成されることができる。例えば、ビーコンレポートは、無線ノードから受信されてもよく、その場合、ビーコンレポートは、一つ以上の無線ノードからの一つ以上の測定パイロットフレームに少なくとも部分的に基づいて生成される（922）。例示的実施形態によると、隣接レポートは、無線測定レポートに少なくとも部分的に基づいて生成されてもよい（930）。
【００５４】
図10に示されるように、各ノード（例えば、移動局またはAP）は、例示的実施形態に係る装置1000を備えることができる。無線局は、例えば、信号を送受信するための無線送受信機1002と、局の動作を制御して、かつ命令またはソフトウェアを実行するためのプロセッサまたは制御装置1004と、データおよび／または命令を保存するためのメモリ1006とを備えることができる、各ノードは、上述のさまざまな機能またはタスクを実行するようにプログラミングまたは構成されることができる。制御装置1004は、上述のさまざまなタスクおよび機能を実行するために、プログラム可能であり、かつソフトウェアあるいはメモリまたはその他のコンピュータ媒体に保存されるその他の命令を実行可能である。さらに、保存媒体またはコンピュータ可読媒体が提供されてもよく、その保存媒体またはコンピュータ可読媒体は、制御装置またはプロセッサ（例えば、制御装置1004）による実行時に、制御装置またはプロセッサが上述のような機能またはタスクまたは作用のうちの一つ以上を実行可能にする保存された命令を含む。
【００５５】
本明細書に記載のさまざまな技術の実装は、デジタル電子回路において、あるいはコンピュータハードウェア、ファームウェア、ソフトウェア、またはそれらの組み合わせにおいて実装されることができる。実装は、コンピュータプログラム、つまり、機械可読保存デバイスまたはコンピュータ可読媒体あるいは伝播信号などの情報担体において有形に具現化されるコンピュータプログラムのように実装されて、プログラム可能プロセッサまたは多重プロセッサ、コンピュータ、または多数のコンピュータなどのデータ処理装置により実行され、またはそのデータ処理装置の動作を制御してもよい。上述のようなコンピュータプログラムは、コンパイラ型またはインタープリタ型言語を含むいかなる形式のプログラミング言語でも書き込み可能であり、スタンドアロンプログラムまたはモジュール、コンポーネント、サブルーチン、またはコンピュータ環境における使用に適したその他のユニットなどを含むいかなる形式でも配置可能である。コンピュータプログラムは、一つのサイトにおいて一つのコンピュータまたは多数のコンピュータ上で実行されるように配置可能であり、あるいは多数のサイト間に分配され、通信ネットワークによって相互接続可能である。
【００５６】
方法のステップは、一つ以上のプログラム可能なプロセッサによって実行されてもよく、そのプログラム可能なプロセッサは、コンピュータプログラムを実行して、入力データで動作し、かつ出力を生成することによって機能を実行する。また、方法のステップは、例えば、フィールドプログラマブルゲートアレイ（Field Programmable Gate Array; FPGA）または特定用途向け集積回路（Application-Specific Integrated Circuit; ASIC）などの専用論理回路によって実行されてもよく、あるいは、その専用論理回路として実装されることができる。
【００５７】
実施形態の特定の特徴が本明細書に記載のように説明されたが、多くの修正、置換、変更、および同等物が当業者によって考察されるだろう。ゆえに、添付の請求項が、さまざまな実施形態の真の趣旨にある、かかる修正および変更の全てを包含することを意図していることが理解されたい。
【図１】
2009506698.tif 000003
【図２】
2009506698.tif 000004
【図３】
2009506698.tif 000005
【図４ａ】
2009506698.tif 000006
【図４ｂ】
2009506698.tif 000007
【図５】
2009506698.tif 000008
【図６】
2009506698.tif 000009
【図７】
2009506698.tif 000010
【図８】
2009506698.tif 000011
【図９】
2009506698.tif 000012
【図１０】
2009506698.tif 000013
【国際調査報告】
2009506698.tif 000014
2009506698.tif 000015
2009506698.tif 000016